(57)【特許請求の範囲】
【請求項１】
親機を介して他の通信装置と通信可能な複数の子機を有する通信装置であって、
前記親機に、
任意数の他の通信装置の識別情報と前記子機の識別情報とを対応付けて記憶可能な識別情報記憶手段と、
発呼側の識別情報を検出する発呼側識別情報検出手段と、
前記発呼側識別情報検出手段により検出された発呼側の識別情報が前記識別情報記憶手段に記憶されているか否かを判断する識別情報登録判断手段と、
前記識別情報登録判断手段により前記発呼側の識別情報が前記識別情報記憶手段に記憶されていると判断されたときに、その識別情報に対応する識別情報を有する子機にのみ呼出音を鳴動させるための呼出音鳴動指令情報を送出する呼出音鳴動指令情報送出手段と、
前記識別情報登録判断手段により前記発呼側の識別情報が前記識別情報記憶手段に記憶されていないと判断されたとき、前記親機自身のみ呼出音を鳴動させる呼出音鳴動制御手段とを備えたことを特徴とする通信装置。
【請求項２】
親機を介して他の通信装置と通信可能な少なくとも１つの子機を有する通信装置であって、
前記親機に、
任意数の他の通信装置の識別情報と前記親機自身および前記子機の識別情報とを対応付けて記憶可能な識別情報記憶手段と、
発呼側の識別情報を検出する発呼側識別情報検出手段と、
前記発呼側識別情報検出手段により検出された発呼側の識別情報が前記識別情報記憶手段に記憶されているか否かを判断する識別情報登録判断手段と、
前記識別情報登録判断手段により前記発呼側の識別情報が前記識別情報記憶手段に記憶されていると判断されたときに、その識別情報に対応する識別情報を有するのが前記親機自身であるか子機であるかを判断する鳴動対象判断手段と、
前記鳴動対象判断手段により前記発呼側の識別情報に対応する識別情報を有するのが前記親機自身であると判断されたときに、呼出音を鳴動させ、前記識別情報登録判断手段により前記発呼側の識別情報が前記識別情報記憶手段に記憶されていないと判断されたとき、前記親機自身のみ呼出音を鳴動させる呼出音鳴動制御手段と、
前記鳴動対象判断手段により前記発呼側の識別情報に対応する識別情報を有するのが前記子機であると判断されたときに、前記発呼側の識別情報に対応する識別情報を有する子機にのみ呼出音を鳴動させるための呼出音鳴動指令情報を送出する呼出音鳴動指令情報送出手段とを備えたことを特徴とする通信装置。
【請求項３】
親機を介して他の通信装置と通信可能な複数の子機を有する通信装置であって、
前記親機に、
発呼側の識別情報を検出する発呼側識別情報検出手段と、
前記発呼側識別情報検出手段により検出された前記発呼側の識別情報を前記各子機に送出する発呼側識別情報送出手段とを備え、
前記各子機に、
任意数の他の通信装置の識別情報を記憶可能な識別情報記憶手段と、
前記親機の発呼側識別情報送出手段から送出された前記発呼側の識別情報を判別する発呼側識別情報判別手段と、
前記発呼側識別情報判別手段により判別された前記発呼側の識別情報が前記識別情報記憶手段に記憶されているか否かを判断する識別情報登録判断手段と、
前記識別情報登録判断手段により前記発呼側の識別情報が前記識別情報記憶手段に記憶されていると判断されたときに、呼出音を鳴動させる子機側呼出音鳴動制御手段とを備えたことを特徴とする通信装置。
【請求項４】
前記親機は、前記識別情報登録判断手段により前記発呼側の識別情報が前記識別情報記憶手段に記憶されていないと判断されたとき、前記親機自身のみ呼出音を鳴動させる親機側呼出音鳴動制御手段を備えていることを特徴とする請求項３に記載の通信装置。
【請求項５】
親機を介して他の通信装置と通信可能な少なくとも１つの子機を有する通信装置であって、
前記親機に、
任意数の他の通信装置の識別情報を記憶可能な親機側識別情報記憶手段と、
発呼側の識別情報を検出する発呼側識別情報検出手段と、
前記発呼側識別情報検出手段により検出された前記発呼側の識別情報を前記各子機に送出する発呼側識別情報送出手段と、
前記発呼側識別情報検出手段により検出された前記発呼側の識別情報が前記親機側識別情報記憶手段に記憶されているか否かを判断する親機側識別情報登録判断手段と、
前記親機側識別情報登録判断手段により前記発呼側の識別情報が前記親機側識別情報記憶手段に記憶されていると判断されたときに、呼出音を鳴動させる親機側呼出音鳴動制御手段とを備え、
前記各子機に、
任意数の他の通信装置の識別情報を記憶可能な子機側識別情報記憶手段と、
前記親機の発呼側識別情報送出手段から送出された前記発呼側の識別情報を判別する発呼側識別情報判別手段と、
前記発呼側識別情報判別手段により判別された前記発呼側の識別情報が前記子機側識別情報記憶手段に記憶されているか否かを判断する子機側識別情報登録判断手段と、
前記子機側識別情報登録判断手段により前記発呼側の識別情報が前記子機側識別情報記憶手段に記憶されていると判断されたときに、呼出音を鳴動させる子機側呼出音鳴動制御手段とを備えたことを特徴とする通信装置。
【請求項６】
前記親機側呼出音鳴動制御手段は、前記子機側識別情報登録判断手段及び前記親機側識別情報登録判断手段により前記発呼側の識別情報が前記子機側識別情報記憶手段及び前記親機側識別情報記憶手段のいずれにも記憶されていないと判断されたとき、前記親機自身のみ呼出音を鳴動させることを特徴とする請求項５に記載の通信装置。
【請求項７】
前記発呼側識別情報検出手段は、コーラーＩＤに含まれる発呼側の電話番号を発呼側の識別情報として検出する、請求項１ないし６のいずれかに記載の通信装置。
【請求項８】
親機を介して他の通信装置と通信可能な複数の子機を有する通信装置の前記親機を制御するためのプログラムが格納されたコンピュータ読み取り可能な記憶媒体であって、
発呼側の識別情報を検出するための発呼側識別情報検出プログラムと、
前記発呼側識別情報検出プログラムにより検出された発呼側の識別情報が、任意数の他の通信装置の識別情報と前記子機の識別情報とを対応付けて記憶可能な識別情報記憶手段に記憶されているか否かを判断するための識別情報登録判断プログラムと、
前記識別情報登録判断プログラムにより前記発呼側の識別情報が前記識別情報記憶手段に記憶されていると判断されたときに、その識別情報に対応する識別情報を有する子機にのみ呼出音を鳴動させるための呼出音鳴動指令情報を送出するための呼出音鳴動指令情報送出プログラムと、
前記識別情報登録判断プログラムにより前記発呼側の識別情報が前記識別情報記憶手段に記憶されていないと判断されたとき、前記親機自身のみ呼出音を鳴動させる呼出音鳴動制御プログラムとを含むプログラムが格納されていることを特徴とするコンピュータ読み取り可能な記憶媒体。
【請求項９】
親機を介して他の通信装置と通信可能な少なくとも１つの子機を有する通信装置の前記親機を制御するためのプログラムが格納されたコンピュータ読み取り可能な記憶媒体であって、
発呼側の識別情報を検出するための発呼側識別情報検出プログラムと、
前記発呼側識別情報検出プログラムにより検出された発呼側の識別情報が、任意数の他の通信装置の識別情報と前記親機自身および前記子機の識別情報とを対応付けて記憶可能な識別情報記憶手段に記憶されているか否かを判断するための識別情報登録判断プログラムと、
前記識別情報登録判断プログラムにより前記発呼側の識別情報が前記識別情報記憶手段に記憶されていると判断されたときに、その識別情報に対応する識別情報を有するのが前記親機自身であるか子機であるかを判断するための鳴動対象判断プログラムと、
前記鳴動対象判断プログラムにより前記発呼側の識別情報に対応する識別情報を有するのが前記親機自身であると判断されたときに、呼出音を鳴動させ、前記識別情報登録判断プログラムにより前記発呼側の識別情報が前記識別情報記憶手段に記憶されていないと判断されたとき、前記親機自身のみ呼出音を鳴動させるための呼出音鳴動制御プログラムと、
前記鳴動対象判断プログラムにより前記発呼側の識別情報に対応する識別情報を有するのが前記子機であると判断されたときに、前記発呼側の識別情報に対応する識別情報を有する子機にのみ呼出音を鳴動させるための呼出音鳴動指令情報を送出するための呼出音鳴動指令情報送出プログラムとを含むプログラムが格納されていることを特徴とするコンピュータ読み取り可能な記憶媒体。
【発明の詳細な説明】
【０００１】
【発明の属する技術分野】
本発明は、たとえばコードレス電話機のように、親機を介して他の通信装置と通信可能な子機を有する通信装置に関するものである。
【０００２】
【従来の技術】
近年、交換機サービスの一種として、コーラーＩＤ（caller-identification ）と呼ばれるサービスが普及している。このコーラーＩＤは、呼出信号の静期間に電話局の交換機から回線を介して電話装置などに入力されるものであって、そのデータに含まれる内容は、発呼日時、発呼側電話番号、被呼側電話番号、呼の種類、発呼側名称、ネットワークシステムの状態などであり、各国あるいはサービス機関毎に種々の情報が提供される。
【０００３】
このようなコーラーＩＤを識別可能な従来のコードレス電話機は、呼出信号が入力されたときに、その呼出信号の静期間に挿入されたコーラーＩＤに含まれる発呼側の電話番号を、親機の液晶表示装置などの表示画面上に表示する構成であり、複数の子機が存在する場合、発呼側の電話番号の如何に係わらず、親機とともに全ての子機の呼出音を鳴動させていた。なお、コーラーＩＤを識別不可能な従来のコードレス電話機では、もちろん、呼出信号が入力されたときに親機とともに全ての子機の呼出音を鳴動させていた。
【０００４】
【発明が解決しようとする課題】
しかしながら、上記従来のコードレス電話機では、呼出信号が入力されたときに親機および全ての子機が呼出音を鳴動させるので、不便な面もあった。たとえば、親機を廊下に設置し、複数の子機をそれぞれ相互に異なる部屋に設置するか、あるいは、親機および任意数の子機をそれぞれ相互に異なる部屋に設置して使用するという、一般家庭における通常の使用状態を想定した場合、呼出信号が入力されたときに親機および全ての子機の呼出音を鳴動させると、誰宛の電話か不明であり、電話に出た人が自分宛の電話でなかった場合、他の家族を呼び出す必要があり、面倒であった。また、自分宛の電話を他の家族に出られることがあって、プライバーシーの確保が図り難いということもあった。
【０００５】
本発明は、上記の点に鑑みて提案されたものであって、発呼側の識別情報に応じて複数の子機のうちのいずれか、あるいは親機および任意数の子機のうちのいずれかを選択して呼出音を鳴動させることができる通信装置を提供することを目的としている。
【０００６】
【課題を解決するための手段】
上記目的を達成するため、請求項１に記載した発明の通信装置は、親機を介して他の通信装置と通信可能な複数の子機を有する通信装置であって、親機に、任意数の他の通信装置の識別情報と子機の識別情報とを対応付けて記憶可能な識別情報記憶手段と、発呼側の識別情報を検出する発呼側識別情報検出手段と、発呼側識別情報検出手段により検出された発呼側の識別情報が識別情報記憶手段に記憶されているか否かを判断する識別情報登録判断手段と、識別情報登録判断手段により発呼側の識別情報が識別情報記憶手段に記憶されていると判断されたときに、その識別情報に対応する識別情報を有する子機にのみ呼出音を鳴動させるための呼出音鳴動指令情報を送出する呼出音鳴動指令情報送出手段と、識別情報登録判断手段により発呼側の識別情報が識別情報記憶手段に記憶されていないと判断されたとき、親機自身のみ呼出音を鳴動させる呼出音鳴動制御手段とを備えている。
【０００７】
この通信装置によれば、呼出音鳴動指令情報送出手段が、識別情報登録判断手段により発呼側の識別情報が識別情報記憶手段に記憶されていると判断されたときに、その識別情報に対応する識別情報を有する子機にのみ呼出音を鳴動させるための呼出音鳴動指令情報を送出するので、呼出信号が入力されたときに、発呼側の識別情報に対応した子機のみが呼出音を鳴動させる。また、識別情報登録判断手段により発呼側の識別情報が識別情報記憶手段に記憶されていないと判断されたときに、親機自身のみ呼出音を鳴動させる。したがって、電話に出るまでに誰宛の電話であるかが判り、たいへん便利である。たとえば、各子機を相互に異なる部屋に設置して使用するという、一般家庭における通常の使用状態を想定した場合、電話に出た人が他の家族を呼び出すという手間が省け、また、自分宛の電話を他の家族に出られることがないのでプライバーシーの確保を十分に図れる。
【０００８】
通信装置としては、コードレス電話機などの電話装置、あるいはコードレス電話機能付のファクシミリ装置などが考えられるが、これらに限定されるものではない。もちろん、他の通信装置との通信のための通信回線は、有線であっても無線であってもよい。
【０００９】
他の通信装置の識別情報としては、たとえば電話番号が考えられる。
【００１０】
子機の識別情報としては、たとえば子機番号が考えられる。
【００１１】
識別情報記憶手段としては、ＥＥＰＲＯＭや電源バックアップされたＲＡＭを用いることができるが、これらに限るものではない。また、識別情報記憶手段は、いわゆる電話帳機能を実現するための記憶領域とは独立して別個に設けてもよいし、電話帳機能を実現するための記憶領域を利用してもよい。たとえば、いわゆるワンタッチダイヤルや短縮ダイヤルを実現するために複数の他の通信装置の電話番号が記憶されているメモリ領域に、各電話番号と子機の子機番号とをテーブル形式で記憶させることにより、電話帳機能のための記憶領域を利用して識別情報記憶手段を実現できる。１つの電話番号には１つの子機番号を対応させるのが便利であると思われるが、もちろん、１つの電話番号に複数の子機番号を対応させることが可能なように構成してもよい。
【００１２】
発呼側識別情報検出手段は、たとえばコーラーＩＤに含まれる発呼側の電話番号を識別情報として検出する。
【００１３】
発呼側識別情報検出手段および識別情報登録判断手段は、たとえば所定のプログラムに基づいて動作するＣＰＵにより実現できる。
【００１４】
呼出音鳴動指令情報送出手段は、たとえば所定のプログラムに基づいて動作するＣＰＵと、このＣＰＵにより制御されて子機に無線によりデータを送信する送信装置とにより実現できる。
【００１５】
発呼側の識別情報が識別情報記憶手段に記憶されていない場合、親機および全ての子機の呼出音を鳴動させてもよいし、親機のみ呼出音を鳴動させてもよい。さらには、親機および全ての子機のうち、予め決められた特定の１または２以上について呼出音を鳴動させてもよい。
【００１６】
また、請求項２に記載した発明の通信装置は、親機を介して他の通信装置と通信可能な少なくとも１つの子機を有する通信装置であって、親機に、任意数の他の通信装置の識別情報と親機自身および子機の識別情報とを対応付けて記憶可能な識別情報記憶手段と、発呼側の識別情報を検出する発呼側識別情報検出手段と、発呼側識別情報検出手段により検出された発呼側の識別情報が識別情報記憶手段に記憶されているか否かを判断する識別情報登録判断手段と、識別情報登録判断手段により発呼側の識別情報が識別情報記憶手段に記憶されていると判断されたときに、その識別情報に対応する識別情報を有するのが親機自身であるか子機であるかを判断する鳴動対象判断手段と、鳴動対象判断手段により発呼側の識別情報に対応する識別情報を有するのが親機自身であると判断されたときに、呼出音を鳴動させ、識別情報登録判断手段により発呼側の識別情報が識別情報記憶手段に記憶されていないと判断されたとき、親機自身のみ呼出音を鳴動させる呼出音鳴動制御手段と、鳴動対象判断手段により発呼側の識別情報に対応する識別情報を有するのが子機であると判断されたときに、発呼側の識別情報に対応する識別情報を有する子機にのみ呼出音を鳴動させるための呼出音鳴動指令情報を送出する呼出音鳴動指令情報送出手段とを備えている。
【００１７】
この通信装置によれば、鳴動対象判断手段により発呼側の識別情報に対応する識別情報を有するのが親機自身であると判断されたときに、呼出音鳴動制御手段が、呼出音を鳴動させ、識別情報登録判断手段により発呼側の識別情報が識別情報記憶手段に記憶されていないと判断されたとき、親機自身のみ呼出音を鳴動させ、鳴動対象判断手段により発呼側の識別情報に対応する識別情報を有するのが子機であると判断されたときに、呼出音鳴動指令情報送出手段が、発呼側の識別情報に対応する識別情報を有する子機にのみ呼出音を鳴動させるための呼出音鳴動指令情報を送出するので、電話に出るまでに誰宛の電話であるかが判り、たいへん便利である。たとえば、親機および任意数の子機を相互に異なる部屋に設置して使用するという、一般家庭における通常の使用状態を想定した場合、電話に出た人が他の家族を呼び出すという手間が省け、また、自分宛の電話を他の家族に出られることがないのでプライバーシーの確保を十分に図れる。しかも、親機の呼出音も選択的に鳴動させることができるので、子機ばかりでなく親機も家族の誰かに割り当てることができる。
【００１８】
更に、請求項３に記載した発明の通信装置は、親機を介して他の通信装置と通信可能な複数の子機を有する通信装置であって、親機に、発呼側の識別情報を検出する発呼側識別情報検出手段と、発呼側識別情報検出手段により検出された発呼側の識別情報を各子機に送出する発呼側識別情報送出手段とを備え、各子機に、任意数の他の通信装置の識別情報を記憶可能な識別情報記憶手段と、親機の発呼側識別情報送出手段から送出された発呼側の識別情報を判別する発呼側識別情報判別手段と、発呼側識別情報判別手段により判別された発呼側の識別情報が識別情報記憶手段に記憶されているか否かを判断する識別情報登録判断手段と、識別情報登録判断手段により発呼側の識別情報が識別情報記憶手段に記憶されていると判断されたときに、呼出音を鳴動させる子機側呼出音鳴動制御手段とを備えている。また、請求項４に記載した発明の通信装置は、請求項３に記載の通信装置において、親機は、識別情報登録判断手段により発呼側の識別情報が識別情報記憶手段に記憶されていないと判断されたとき、親機自身のみ呼出音を鳴動させる親機側呼出音鳴動制御手段を備えている。
【００１９】
この通信装置によれば、子機の子機側呼出音鳴動制御手段が、識別情報登録判断手段により発呼側の識別情報が識別情報記憶手段に記憶されていると判断されたときに、呼出音を鳴動させるので、呼出信号が入力されたときに、発呼側の識別情報に対応した子機のみの呼出音が鳴動する。したがって、電話に出るまでに誰宛の電話であるかが判り、たいへん便利である。たとえば、各子機を相互に異なる部屋に設置して使用するという、一般家庭における通常の使用状態を想定した場合、電話に出た人が他の家族を呼び出すという手間が省け、また、自分宛の電話を他の家族に出られることがないのでプライバーシーの確保を十分に図れる。
【００２０】
通信装置としては、コードレス電話機などの電話装置、あるいはコードレス電話機能付のファクシミリ装置などが考えられるが、これらに限定されるものではない。もちろん、他の通信装置との通信のための通信回線は、有線であっても無線であってもよい。
【００２１】
他の通信装置の識別情報としては、たとえば電話番号が考えられる。
【００２２】
識別情報記憶手段としては、ＥＥＰＲＯＭや電源バックアップされたＲＡＭを用いることができるが、これらに限るものではない。
【００２３】
発呼側識別情報検出手段は、たとえばコーラーＩＤに含まれる発呼側の電話番号を識別情報として検出する。
【００２４】
発呼側識別情報検出手段、発呼側識別情報判別手段、識別情報登録判断手段、および呼出音鳴動制御手段は、たとえば所定のプログラムに基づいて動作するＣＰＵにより実現できる。
【００２５】
発呼側識別情報送出手段は、たとえば所定のプログラムに基づいて動作するＣＰＵと、このＣＰＵにより制御されて各子機に無線によりデータを送信する送信装置とにより実現できる。
【００２６】
発呼側の識別情報が各子機の識別情報記憶手段に記憶されていない場合、その旨を各子機から親機に送信するように構成し、いずれの子機の識別情報記憶手段にも発呼側の識別情報が記憶されていないときには、親機のみ呼出音を鳴動させてもよいし、あるいは親機が各子機を制御して、親機および全ての子機の呼出音を鳴動させてもよい。さらには、親機および全ての子機のうち、予め決められた特定の１または２以上について呼出音を鳴動させてもよい。
【００２７】
また、請求項５に記載した発明の通信装置は、親機を介して他の通信装置と通信可能な少なくとも１つの子機を有する通信装置であって、親機に、任意数の他の通信装置の識別情報を記憶可能な親機側識別情報記憶手段と、発呼側の識別情報を検出する発呼側識別情報検出手段と、発呼側識別情報検出手段により検出された発呼側の識別情報を各子機に送出する発呼側識別情報送出手段と、発呼側識別情報検出手段により検出された発呼側の識別情報が親機側識別情報記憶手段に記憶されているか否かを判断する親機側識別情報登録判断手段と、親機側識別情報登録判断手段により発呼側の識別情報が親機側識別情報記憶手段に記憶されていると判断されたときに、呼出音を鳴動させる親機側呼出音鳴動制御手段とを備え、各子機に、任意数の他の通信装置の識別情報を記憶可能な子機側識別情報記憶手段と、親機の発呼側識別情報送出手段から送出された発呼側の識別情報を判別する発呼側識別情報判別手段と、発呼側識別情報判別手段により判別された発呼側の識別情報が子機側識別情報記憶手段に記憶されているか否かを判断する子機側識別情報登録判断手段と、子機側識別情報登録判断手段により発呼側の識別情報が子機側識別情報記憶手段に記憶されていると判断されたときに、呼出音を鳴動させる子機側呼出音鳴動制御手段とを備えている。また、請求項６に記載した発明の通信装置は、請求項５に記載の通信装置において、親機側呼出音鳴動制御手段は、子機側識別情報登録判断手段及び親機側識別情報登録判断手段により発呼側の識別情報が子機側識別情報記憶手段及び親機側識別情報記憶手段のいずれにも記憶されていないと判断されたとき、前記親機自身のみ呼出音を鳴動させる。
【００２８】
この通信装置によれば、親機側識別情報登録判断手段により発呼側の識別情報が親機側識別情報記憶手段に記憶されていると判断されたときに、親機側呼出音鳴動制御手段が、呼出音を鳴動させ、子機側識別情報登録判断手段により発呼側の識別情報が子機側識別情報記憶手段に記憶されていると判断されたときに、子機側呼出音鳴動制御手段が、呼出音を鳴動させるので、電話に出るまでに誰宛の電話であるかが判り、たいへん便利である。たとえば、親機および任意数の子機を相互に異なる部屋に設置して使用するという、一般家庭における通常の使用状態を想定した場合、電話に出た人が他の家族を呼び出すという手間が省け、また、自分宛の電話を他の家族に出られることがないのでプライバーシーの確保を十分に図れる。しかも、親機の呼出音も選択的に鳴動させることができるので、子機ばかりでなく親機も家族の誰かに割り当てることができる。
【００２９】
更に、請求項７に記載した発明の通信装置は、請求項１ないし６のいずれかに記載の通信装置であって、発呼側識別情報検出手段は、コーラーＩＤに含まれる発呼側の電話番号を発呼側の識別情報として検出する。
【００３０】
この通信装置によれば、請求項１ないし６に記載の通信装置による効果に加えて、発呼側の通信装置から識別情報を送信することなく、被呼側で発呼側の識別情報を確実に認識できる。
【００３１】
また、請求項８に記載した発明の記憶媒体は、親機を介して他の通信装置と通信可能な複数の子機を有する通信装置の親機を制御するためのプログラムが格納されたコンピュータ読み取り可能な記憶媒体であって、発呼側の識別情報を検出するための発呼側識別情報検出プログラムと、発呼側識別情報検出プログラムにより検出された発呼側の識別情報が、任意数の他の通信装置の識別情報と子機の識別情報とを対応付けて記憶可能な識別情報記憶手段に記憶されているか否かを判断するための識別情報登録判断プログラムと、識別情報登録判断プログラムにより発呼側の識別情報が識別情報記憶手段に記憶されていると判断されたときに、その識別情報に対応する識別情報を有する子機にのみ呼出音を鳴動させるための呼出音鳴動指令情報を送出するための呼出音鳴動指令情報送出プログラムと、識別情報登録判断プログラムにより発呼側の識別情報が識別情報記憶手段に記憶されていないと判断されたとき、親機自身のみ呼出音を鳴動させる呼出音鳴動制御プログラムとを含むプログラムが格納されている。
【００３２】
この記憶媒体によれば、格納されたプログラムに基づいて通信装置の親機のコンピュータを動作させることにより、請求項１に記載した通信装置を実現できる。
【００３３】
更に、請求項９に記載した発明の記憶媒体は、親機を介して他の通信装置と通信可能な少なくとも１つの子機を有する通信装置の親機を制御するためのプログラムが格納されたコンピュータ読み取り可能な記憶媒体であって、発呼側の識別情報を検出するための発呼側識別情報検出プログラムと、発呼側識別情報検出プログラムにより検出された発呼側の識別情報が、任意数の他の通信装置の識別情報と親機自身および子機の識別情報とを対応付けて記憶可能な識別情報記憶手段に記憶されているか否かを判断するための識別情報登録判断プログラムと、識別情報登録判断プログラムにより発呼側の識別情報が識別情報記憶手段に記憶されていると判断されたときに、その識別情報に対応する識別情報を有するのが親機自身であるか子機であるかを判断するための鳴動対象判断プログラムと、鳴動対象判断プログラムにより発呼側の識別情報に対応する識別情報を有するのが親機自身であると判断されたときに、呼出音を鳴動させ、識別情報登録判断プログラムにより発呼側の識別情報が識別情報記憶手段に記憶されていないと判断されたとき、親機自身のみ呼出音を鳴動させるための呼出音鳴動制御プログラムと、鳴動対象判断プログラムにより発呼側の識別情報に対応する識別情報を有するのが子機であると判断されたときに、発呼側の識別情報に対応する識別情報を有する子機にのみ呼出音を鳴動させるための呼出音鳴動指令情報を送出するための呼出音鳴動指令情報送出プログラムとを含むプログラムが格納されている。
【００３４】
この記憶媒体によれば、格納されたプログラムに基づいて通信装置の親機のコンピュータを動作させることにより、請求項２に記載した通信装置を実現できる。
【００３５】
【発明の実施の形態】
以下、本発明の好ましい実施の形態を、図面を参照しつつ具体的に説明する。
【００３６】
図１は、本発明に係る通信装置の一例としてのファクシミリ装置の本体部分の回路ブロック図であって、このファクシミリ装置は、コードレス電話機能を有しており、本体部分はファクシミリ機能とともにコードレス電話の親機の機能を備えている。コードレス電話の子機については後述する。このファクシミリ装置の本体部分は、ＣＰＵ（central processing unit ）１、ＮＣＵ（network control unit）２、ＲＡＭ（random access memory）３、モデム４、ＲＯＭ（read only memory）５、ＥＥＰＲＯＭ（electrically erasable and programmable read only memory ）６、ゲートアレイ７、コーデック８、ＤＭＡＣ（direct memory access controller）９、読取部１１、記録部１２、操作部１３、表示部１４、通信部１６、および通話部１７を備えている。ＣＰＵ１、ＮＣＵ２、ＲＡＭ３、モデム４、ＲＯＭ５、ＥＥＰＲＯＭ６、ゲートアレイ７、コーデック８、ＤＭＡＣ９、および通信部１６は、バス線により相互に接続されている。バス線には、アドレスバス、データバス、および制御信号線が含まれる。ゲートアレイ７には、読取部１１、記録部１２、操作部１３、および表示部１４が接続されている。ＮＣＵ２には、通信回線の一例としての電話回線１５、モデム４、コーデック８、および通話部１７が接続されている。
【００３７】
ＣＰＵ１は、ファクシミリ装置全体を制御する。ＮＣＵ２は、電話回線１５に接続されて網制御を行う。ＲＡＭ３は、各種のデータを記憶する。モデム４は、送信データの変調や受信データの復調などを行う。ＲＯＭ５は、各種のプログラムや初期設定値などを記憶している。ＥＥＰＲＯＭ６は、初期値フラグなどの各種のフラグを記憶するとともに、所定容量の識別情報記憶領域が確保されている。この識別情報記憶領域は、電話がかかってくるであろうと思われる複数の他の通信装置の電話番号を、子機の子機番号と対応させて記憶する領域であり、その登録、変更、抹消などは、使用者が操作部１３に所定のキー操作を施すことによって行われる。ゲートアレイ７は、ＣＰＵ１の入出力インターフェイスとして機能するとともに、各種の画像処理を実行する。コーデック８は、送信ファクシミリデータの符号化や受信ファクシミリデータの復号化を行うとともに、電話回線１５を介して入力された音声信号をＡ／Ｄ変換および符号化して通信部１６に出力し、さらには、子機から通信部１６に入力された音声データをＤ／Ａ変換および復号化してＮＣＵ２に出力する。ＤＭＡＣ９は、ＲＡＭ３へのデータの書き込みや読み出しを行う。読取部１１は、光源やＣＣＤイメージセンサや原稿送りモータなどを備えており、原稿を読み取ってアナログの画像信号を出力する。記録部１２は、インクジェット方式あるいは熱転写方式などの印刷手段を備えており、受信画像や読取画像などを記録用紙上に記録する。操作部１３は、使用者がモード切換操作、動作指示操作、および各種の設定あるいは登録操作を施すためのものであって、キースイッチ群などからなり、使用者の操作に応じた信号を出力する。表示部１４は、ＬＣＤなどからなり、ＣＰＵ１により制御されて発呼側の電話番号などの各種の表示を行う。通信部１６は、無線により子機との間でデータの送受信を行う。通話部１７は、電話回線１５を介して親機と他の通信装置との間で通話を行うためのものであり、スピーカやマイクロホンなどを備えている。
【００３８】
図２は子機の回路ブロック図であって、子機２１は、ＣＰＵ２２、通信部２３、ＲＯＭ２４、ＲＡＭ２５、音声コーデック２６、ゲートアレイ２７、通話部２８、および操作部２９を備えている。ＣＰＵ２２、通信部２３、ＲＯＭ２４、ＲＡＭ２５、音声コーデック２６、およびゲートアレイ２７は、バス線により相互に接続されている。バス線には、アドレスバス、データバス、および制御信号線が含まれる。音声コーデック２６には通話部２８が接続されており、ゲートアレイ２７には操作部２９が接続されている。この子機２１は、１台のファクシミリ装置について複数個設けられており、たとえば一般家庭の家屋内の相互に異なる部屋に設置される。
【００３９】
ＣＰＵ２２は、子機２１の全体を制御する。通信部２３は、無線によりファクシミリ装置の本体部分の通信部１６との間でデータの送受信を行う。ＲＯＭ２４は、各種のプログラムや初期設定値などを記憶している。ＲＡＭ２５は、各種のデータを記憶する。音声コーデック２６は、通話部２８からの音声信号をＡ／Ｄ変換および符号化して通信部２３に出力し、また、通信部２３からの音声データをＤ／Ａ変換および復号化して通話部２８に出力する。ゲートアレイ２７は、ＣＰＵ１と操作部２９との間のインターフェイスとして機能する。通話部２８は、親機を介して他の通信装置との間で通話を行うためのものであり、スピーカやマイクロホンなどを備えている。操作部２９は、キースイッチ群などからなり、使用者の操作に応じた信号を出力する。
【００４０】
すなわち、ＥＥＰＲＯＭ６は、任意数の他の通信装置の識別情報と子機の識別情報とを対応付けて記憶可能な識別情報記憶手段を構成している。ＣＰＵ１は、ＲＯＭ５に格納されたプログラムに基づいて動作することにより、発呼側の識別情報を検出する発呼側識別情報検出手段を実現している。ＣＰＵ１は、ＲＯＭ５に格納されたプログラムに基づいて動作することにより、発呼側識別情報検出手段により検出された発呼側の識別情報が識別情報記憶手段に記憶されているか否かを判断する識別情報登録判断手段を実現している。ＣＰＵ１は、ＲＯＭ５に格納されたプログラムに基づいて動作することにより、通信部１６と協働して、識別情報登録判断手段により発呼側の識別情報が識別情報記憶手段に記憶されていると判断されたときに、その識別情報に対応する識別情報を有する子機にのみ呼出音を鳴動させるための呼出音鳴動指令情報を送出する呼出音鳴動指令情報送出手段を実現している。
【００４１】
また、ＲＯＭ５は、親機を介して他の通信装置と通信可能な複数の子機を有する通信装置の親機を制御するためのプログラムが格納された記憶媒体であって、発呼側の識別情報を検出するための発呼側識別情報検出プログラムと、発呼側識別情報検出プログラムにより検出された発呼側の識別情報が、任意数の他の通信装置の識別情報と子機の識別情報とを対応付けて記憶可能な識別情報記憶手段に記憶されているか否かを判断するための識別情報登録判断プログラムと、識別情報登録判断プログラムにより発呼側の識別情報が識別情報記憶手段に記憶されていると判断されたときに、その識別情報に対応する識別情報を有する子機にのみ呼出音を鳴動させるための呼出音鳴動指令情報を送出するための呼出音鳴動指令情報送出プログラムとを含むプログラムが格納されている記憶媒体を構成している。
【００４２】
次に、このように構成されたファクシミリ装置の動作の要点について説明する。電話回線１５を介して呼出信号が入力されると、その呼出信号の静期間に挿入されているコーラーＩＤに含まれている発呼側の電話番号を抽出し、その電話番号をＲＡＭ３の所定領域に記憶させる。回線閉結後、ファクシミリ受信でないことが判明すれば、ＲＡＭ３の所定領域に記憶させた発呼側の電話番号を読み出し、その電話番号がＥＥＰＲＯＭ６の識別情報記憶領域に記憶されているかどうか調べる。記憶されていれば、その電話番号に対応する子機２１の子機番号とともに、呼出音を鳴動させるための呼出音鳴動指令情報を送出する。これにより、複数の子機２１のうち、子機番号により指定された子機２１のみが、呼出音を鳴動させる。
【００４３】
発呼側の電話番号がＥＥＰＲＯＭ６の識別情報記憶領域に記憶されていない場合、親機すなわちファクシミリ装置の本体部分が、呼出音を鳴動させる。
【００４４】
ＥＥＰＲＯＭ６の識別情報記憶領域への電話番号および子機番号の登録、変更、削除などは、使用者が、操作部１３に対して所定のキー操作を施すことにより自由に行える。
【００４５】
ファクシミリ／電話自動切換モード時の着信処理の手順について、図３のフローチャートを参照しながら説明する。この着信処理は、所定時間毎に開始される。
【００４６】
先ずＣＰＵ１が、呼出の有無を判断する（Ｓ１）。具体的には、ＣＰＵ１が、電話回線１５を介してＮＣＵ２に呼出信号が入力されたか否かを判断する。
【００４７】
呼出があれば（Ｓ１：ＹＥＳ）、ＣＰＵ１が、発呼側の電話番号を抽出し、記憶させる（Ｓ２）。具体的には、ＣＰＵ１が、モデム４からのデータに基づいて、呼出信号の静期間に挿入されているコーラーＩＤから発呼側の電話番号のデータを抽出し、それをＲＡＭ３の所定領域に記憶させる。そしてＣＰＵ１が、ＮＣＵ２を制御して回線を閉結させる（Ｓ３）。そしてＣＰＵ１が、ファクシミリ受信であるか否かを判断する（Ｓ４）。具体的には、ＣＰＵ１が、モデム４からのデータに基づいて、発呼側がファクシミリ装置であるか電話装置であるかを調べる。
【００４８】
ファクシミリ受信でなければ（Ｓ４：ＮＯ）、ＣＰＵ１が、Ｓ２でＲＡＭ３の所定領域に記憶させた発呼側の電話番号を読み出し（Ｓ５）、登録の有無を判断する（Ｓ６）。具体的には、ＣＰＵ１が、発呼側の電話番号がＥＥＰＲＯＭ６の識別情報格納領域に記憶されているかどうかを調べ、記憶されていれば、その電話番号に対応する子機番号を読み出す。
【００４９】
登録されていれば（Ｓ６：ＹＥＳ）、発呼側の電話番号に対応する子機２１に呼出指令信号を送出する（Ｓ７）。具体的には、ＣＰＵ１が、通信部１６を制御して、子機番号と呼出音を鳴動させる旨のコマンドとを含む信号を、全ての子機２１に対して送信させる。これにより、通信部１６からの信号を全ての子機２１の通信部２３が受信し、子機番号によって特定された１つの子機２１だけが、呼出音を鳴動させる。このときの子機２１の動作は、たとえば、ＣＰＵ２２が音声コーデック２６を介して通話部２８を制御し、通話部２８のスピーカ（図示せず）を駆動させて呼出音を鳴動させる。この呼出音は所定の周期で鳴動し、子機２１の使用者が電話に出るか、あるいは親機からの呼出音停止指令を受信することにより、鳴動を停止する。親機は、呼出音の鳴動時間を規制するタイマーがタイムアップしたとき、あるいは子機２１の使用者が電話に出るまでに発呼者が電話を切ってしまったときに、子機２１に呼出音停止指令を送信する。
【００５０】
そしてＣＰＵ１が、発呼側に対して応答メッセージを送出させる（Ｓ８）。具体的には、ＣＰＵ１が、ＥＥＰＲＯＭ６の応答メッセージ格納領域に格納されている応答メッセージのうち、たとえば「只今呼び出しておりますので、暫くお待ち下さい。」という応答メッセージに対応するデータを読み出し、コーデック８に復号化およびＤ／Ａ変換させて、ＮＣＵ２を介して電話回線１５に送出させる。そしてＣＰＵ１が、タイマーを起動させる（Ｓ９）。すなわち、ＣＰＵ１が、呼出音の鳴動時間を規制するためのタイマーの計時を開始させる。このタイマーは、ハードウェアによって実現してもよいし、ソフトウェアによって実現してもよい。ソフトウェアによって実現する方法としては、たとえばシステムクロックをカウントするダウンカウンタにＣＰＵ１が所定の数値を設定することが考えられる。そしてＣＰＵ１が、電話が切られたか否かを判断する（Ｓ１０）。具体的には、ＣＰＵ１が、ＮＣＵ２に入力される電話回線１５の信号の状態に基づいて、発呼者が電話を切ったかどうか調べる。
【００５１】
電話が切られていなければ（Ｓ１０：ＮＯ）、ＣＰＵ１が、子機２１がオフフックされたか否かを判断する（Ｓ１１）。具体的には、ＣＰＵ１が、通信部１６によって受信される、呼出音を鳴動させた子機２１からの受信信号に基づいて、子機２１の使用者が電話に出たかどうかを調べる。
【００５２】
子機２１がオフフックされていれば（Ｓ１１：ＹＥＳ）、ＣＰＵ１が、電話回線１５と子機２１との通信を中継する（Ｓ１２）。具体的には、ＣＰＵ１が、コーデック８を制御して、電話回線１５を介してＮＣＵ２に入力される発呼側からの音声信号をＡ／Ｄ変換および符号化させて、その音声データを通信部１６により子機２１に送信させる。これにより子機２１のＣＰＵ２２が、音声コーデック２６を制御して、通信部２３により受信された音声データを復号化およびＤ／Ａ変換させ、その音声信号を通話部２８に供給し、スピーカを駆動させる。また、子機２１のＣＰＵ２２が、音声コーデック２６を制御して、通話部２８からの音声信号をＡ／Ｄ変換および符号化させて、その音声データを通信部２３により親機に送信させる。これにより親機のＣＰＵ１が、コーデック８を制御して、通信部１６により受信された音声データを復号化およびＤ／Ａ変換させ、その音声信号をＮＣＵ２を介して電話回線１５に送出させる。
【００５３】
そしてＣＰＵ１が、通話が終了したか否かを判断する（Ｓ１３）。具体的には、ＣＰＵ１が、子機２１の使用者によりオンフックされたかどうか、あるいは発呼者が電話を切ったかどうかを調べる。子機２１の使用者によりオンフックされたかどうかは、子機２１からの受信信号に基づいて調べることができ、発呼者が電話を切ったかどうかは、ＮＣＵ２に入力される電話回線１５の信号の状態に基づいて調べることができる。
【００５４】
通話が終了していれば（Ｓ１３：ＹＥＳ）、ＣＰＵ１が、ＮＣＵ２を制御して回線を開放させ（Ｓ１４）、着信処理を終了する。
【００５５】
Ｓ１３において、通話が終了していなければ（Ｓ１３：ＮＯ）、Ｓ１２に戻って発呼者と子機２１の使用者との通話を継続させる。
【００５６】
Ｓ１１において、子機２１がオフフックされていなければ（Ｓ１１：ＮＯ）、すなわち、呼出音が鳴動しているにも係わらず子機２１の使用者が電話に出ていなければ、ＣＰＵ１が、Ｓ９で起動させたタイマーがタイムアップしているか否か判断する（Ｓ１５）。
【００５７】
タイマーがタイムアップしていれば（Ｓ１５：ＹＥＳ）、ＣＰＵ１が、応答メッセージを送出させる（Ｓ１６）。具体的には、ＣＰＵ１が、ＥＥＰＲＯＭ６の応答メッセージ格納領域に格納されている応答メッセージのうち、たとえば「近くにおりませんので、ご面倒ですがおかけ直し下さい。」という応答メッセージに対応するデータを読み出し、コーデック８に復号化およびＤ／Ａ変換させて、ＮＣＵ２を介して電話回線１５に送出させる。そしてＣＰＵ１が、呼出音停止指令を送信し（Ｓ１７）、Ｓ１４に進む。具体的には、ＣＰＵ１が、通信部１６を制御して、呼出音の鳴動を停止させる旨のコマンドに対応する信号を送信させる。この信号は子機２１の通信部２３によって受信され、これにより子機２１のＣＰＵ２２が、音声コーデック２６を介して通話部２８を制御し、呼出音の鳴動を停止させる。
【００５８】
Ｓ１５において、タイマーがタイムアップしていなければ（Ｓ１５：ＮＯ）、Ｓ１０に戻って呼出音の鳴動を継続させる。
【００５９】
Ｓ１０において、電話が切られていれば（Ｓ１０：ＹＥＳ）、Ｓ１７に進む。
【００６０】
Ｓ６において、発呼側の電話番号が登録されていなければ（Ｓ６：ＮＯ）、すなわち発呼側の電話番号がＥＥＰＲＯＭ６の識別情報記憶領域に記憶されていなければ、ＣＰＵ１が、呼出音を発生させる（Ｓ１８）。具体的には、ＣＰＵ１が、コーデック８を介して通話部１７を制御し、通話部１７のスピーカ（図示せず）を駆動させて呼出音を鳴動させる。そしてＣＰＵ１が、発呼側に対して応答メッセージを送出させる（Ｓ１９）。具体的には、ＣＰＵ１が、ＥＥＰＲＯＭ６の応答メッセージ格納領域に格納されている応答メッセージのうち、たとえば「只今呼び出しておりますので、暫くお待ち下さい。」という応答メッセージに対応するデータを読み出し、コーデック８に復号化およびＤ／Ａ変換させて、ＮＣＵ２を介して電話回線１５に送出させる。
【００６１】
そしてＣＰＵ１が、タイマーを起動させる（Ｓ２０）。すなわち、ＣＰＵ１が、呼出音の鳴動時間を規制するためのタイマーの計時を開始させる。そしてＣＰＵ１が、電話が切られたか否かを判断する（Ｓ２１）。具体的には、ＣＰＵ１が、ＮＣＵ２に入力される電話回線１５の信号の状態に基づいて、発呼者が電話を切ったかどうか調べる。
【００６２】
電話が切られていなければ（Ｓ２１：ＮＯ）、ＣＰＵ１が、オフフックされたか否かを判断する（Ｓ２２）。具体的には、ＣＰＵ１が、通話部１７のフックスイッチなどからの信号に基づいて、親機の使用者が電話に出たかどうかを調べる。
【００６３】
オフフックされていれば（Ｓ２２：ＹＥＳ）、ＣＰＵ１が、通話が終了したか否かを判断する（Ｓ２３）。具体的には、ＣＰＵ１が、親機の使用者によりオンフックされたかどうか、あるいは発呼者が電話を切ったかどうかを調べる。親機の使用者によりオンフックされたかどうかは、通話部１７のフックスイッチなどからの信号に基づいて調べることができ、発呼者が電話を切ったかどうかは、ＮＣＵ２に入力される電話回線１５の信号の状態に基づいて調べることができる。
【００６４】
通話が終了していれば（Ｓ２３：ＹＥＳ）、Ｓ１４に進む。
【００６５】
Ｓ２３において、通話が終了していなければ（Ｓ２３：ＮＯ）、Ｓ２３に戻って発呼者と親機の使用者との通話を継続させる。
【００６６】
Ｓ２２において、親機がオフフックされていなければ（Ｓ２２：ＮＯ）、すなわち、呼出音が鳴動しているにも係わらず親機の使用者が電話に出ていなければ、ＣＰＵ１が、Ｓ２０で起動させたタイマーがタイムアップしているか否か判断する（Ｓ２４）。
【００６７】
タイマーがタイムアップしていれば（Ｓ２４：ＹＥＳ）、ＣＰＵ１が、応答メッセージを送出させ（Ｓ２５）、Ｓ１４に進む。具体的には、ＣＰＵ１が、ＥＥＰＲＯＭ６の応答メッセージ格納領域に格納されている応答メッセージのうち、たとえば「近くにおりませんので、ご面倒ですがおかけ直し下さい。」という応答メッセージに対応するデータを読み出し、コーデック８に復号化およびＤ／Ａ変換させて、ＮＣＵ２を介して電話回線１５に送出させる。
【００６８】
Ｓ２４において、タイマーがタイムアップしていなければ（Ｓ２４：ＮＯ）、Ｓ２１に戻って呼出音の鳴動を継続させる。
【００６９】
Ｓ２１において、電話が切られていれば（Ｓ２１：ＹＥＳ）、Ｓ１４に進む。
【００７０】
Ｓ４において、ファクシミリ受信であれば（Ｓ４：ＹＥＳ）、ＣＰＵ１が、周知のファクシミリ受信処理を実行し（Ｓ２６）、通信が終了したか否かを判断する（Ｓ２７）。通信が終了していれば（Ｓ２７：ＹＥＳ）、Ｓ１４に進む。通信が終了していなければ（Ｓ２７：ＮＯ）、Ｓ２６に戻ってファクシミリ受信を継続する。
【００７１】
Ｓ１において、呼出がなければ（Ｓ１：ＮＯ）、着信処理を終了する。
【００７２】
もちろん、ファクシミリ／電話自動切換モード時以外の、たとえば手動受信モード時にも、発呼側の電話番号がＥＥＰＲＯＭ６の識別情報記憶領域に記憶されていれば、対応する子機２１のみが呼出音を鳴動させ、発呼側の電話番号がＥＥＰＲＯＭ６の識別情報記憶領域に記憶されていなければ、親機のみが呼出音を鳴動させる。
【００７３】
なお、上記実施形態においては、親機のＥＥＰＲＯＭ６に発呼側の識別情報である電話番号と子機番号とを対応させて記憶したが、各子機２１にそれぞれＥＥＰＲＯＭを設けるか、あるいはＲＡＭ２５を電池などにより電源バックアップを施して、それを識別情報記憶手段として用い、その識別情報記憶手段に他の通信装置の電話番号を記憶させ、呼出信号が入力されたときに、親機から全ての子機２１に発呼側の電話番号を送信し、各子機２１で発呼側の電話番号が識別情報記憶手段に記憶されているかどうかを判断して、発呼側の電話番号が識別情報記憶手段に記憶されている子機２１のみが呼出音を鳴動させるように構成してもよい。
【００７４】
すなわち、親機を介して他の通信装置と通信可能な複数の子機を有する通信装置であって、親機に、発呼側の識別情報を検出する発呼側識別情報検出手段と、発呼側識別情報検出手段により検出された発呼側の識別情報を各子機に送出する発呼側識別情報送出手段とを備え、各子機に、任意数の他の通信装置の識別情報を記憶可能な識別情報記憶手段と、親機の発呼側識別情報送出手段から送出された発呼側の識別情報を判別する発呼側識別情報判別手段と、発呼側識別情報判別手段により判別された発呼側の識別情報が識別情報記憶手段に記憶されているか否かを判断する識別情報登録判断手段と、識別情報登録判断手段により発呼側の識別情報が識別情報記憶手段に記憶されていると判断されたときに、呼出音を鳴動させる呼出音鳴動制御手段とを備えた構成とすればよい。
【００７５】
この場合、いずれの子機２１の識別情報記憶手段にも発呼側の電話番号が記憶されていなかったときには、呼出音が全く鳴動しないことになるので、識別情報記憶手段に発呼側の電話番号が記憶されていないことを各子機２１から親機に送信し、その旨の送信が全ての子機２１からあった場合には、親機が自分自身で呼出音を鳴動させるように構成すればよい。もちろん、親機が各子機２１を制御して、親機および全ての子機２１の呼出音を鳴動させてもよい。さらには、親機および全ての子機２１のうち、予め決められた特定の１または２以上について呼出音を鳴動させてもよい。
【００７６】
また、上記実施形態においては、複数の子機２１のうち、発呼側の識別情報に対応した識別情報を有する子機２１のみが呼出音を鳴動させるように構成したが、親機にも識別情報を付与し、親機と任意数の子機２１とのうち、発呼側の識別情報に対応した識別情報を有するもののみが呼出音を鳴動させるように構成してもよい。この場合、親機のみが発呼側の識別情報に対応する識別情報を有していれば、いずれの子機にも呼出音鳴動指令情報を送出する必要はなく、親機自身が呼出音を鳴動させればよい。
【００７７】
たとえば、親機を介して他の通信装置と通信可能な少なくとも１つの子機を有する通信装置であって、親機に、任意数の他の通信装置の識別情報と親機自身および子機の識別情報とを対応付けて記憶可能な識別情報記憶手段と、発呼側の識別情報を検出する発呼側識別情報検出手段と、発呼側識別情報検出手段により検出された発呼側の識別情報が識別情報記憶手段に記憶されているか否かを判断する識別情報登録判断手段と、識別情報登録判断手段により発呼側の識別情報が識別情報記憶手段に記憶されていると判断されたときに、その識別情報に対応する識別情報を有するのが親機自身であるか子機であるかを判断する鳴動対象判断手段と、鳴動対象判断手段により発呼側の識別情報に対応する識別情報を有するのが親機自身であると判断されたときに、呼出音を鳴動させる呼出音鳴動制御手段と、鳴動対象判断手段により発呼側の識別情報に対応する識別情報を有するのが子機であると判断されたときに、発呼側の識別情報に対応する識別情報を有する子機にのみ呼出音を鳴動させるための呼出音鳴動指令情報を送出する呼出音鳴動指令情報送出手段とを備えた構成とすればよい。
【００７８】
あるいは、親機を介して他の通信装置と通信可能な少なくとも１つの子機を有する通信装置であって、親機に、任意数の他の通信装置の識別情報を記憶可能な親機側識別情報記憶手段と、発呼側の識別情報を検出する発呼側識別情報検出手段と、発呼側識別情報検出手段により検出された発呼側の識別情報を各子機に送出する発呼側識別情報送出手段と、発呼側識別情報検出手段により検出された発呼側の識別情報が親機側識別情報記憶手段に記憶されているか否かを判断する親機側識別情報登録判断手段と、親機側識別情報登録判断手段により発呼側の識別情報が親機側識別情報記憶手段に記憶されていると判断されたときに、呼出音を鳴動させる親機側呼出音鳴動制御手段とを備え、各子機に、任意数の他の通信装置の識別情報を記憶可能な子機側識別情報記憶手段と、親機の発呼側識別情報送出手段から送出された発呼側の識別情報を判別する発呼側識別情報判別手段と、発呼側識別情報判別手段により判別された発呼側の識別情報が子機側識別情報記憶手段に記憶されているか否かを判断する子機側識別情報登録判断手段と、子機側識別情報登録判断手段により発呼側の識別情報が子機側識別情報記憶手段に記憶されていると判断されたときに、呼出音を鳴動させる子機側呼出音鳴動制御手段とを備えた構成としてもよい。
【００７９】
【発明の効果】
以上説明したように請求項１に記載した発明の通信装置によれば、呼出音鳴動指令情報送出手段が、識別情報登録判断手段により発呼側の識別情報が識別情報記憶手段に記憶されていると判断されたときに、その識別情報に対応する識別情報を有する子機にのみ呼出音を鳴動させるための呼出音鳴動指令情報を送出するので、呼出信号が入力されたときに、発呼側の識別情報に対応した子機のみが呼出音を鳴動させる。また、識別情報登録判断手段により発呼側の識別情報が識別情報記憶手段に記憶されていないと判断されたときに、親機自身のみ呼出音を鳴動させる。したがって、電話に出るまでに誰宛の電話であるかが判り、たいへん便利である。たとえば、各子機を相互に異なる部屋に設置して使用するという、一般家庭における通常の使用状態を想定した場合、電話に出た人が他の家族を呼び出すという手間が省け、また、自分宛の電話を他の家族に出られることがないのでプライバーシーの確保を十分に図れる。
【００８０】
また、請求項２に記載した発明の通信装置によれば、鳴動対象判断手段により発呼側の識別情報に対応する識別情報を有するのが親機自身であると判断されたときに、呼出音鳴動制御手段が、呼出音を鳴動させ、識別情報登録判断手段により発呼側の識別情報が識別情報記憶手段に記憶されていないと判断されたとき、親機自身のみ呼出音を鳴動させ、鳴動対象判断手段により発呼側の識別情報に対応する識別情報を有するのが子機であると判断されたときに、呼出音鳴動指令情報送出手段が、発呼側の識別情報に対応する識別情報を有する子機にのみ呼出音を鳴動させるための呼出音鳴動指令情報を送出するので、電話に出るまでに誰宛の電話であるかが判り、たいへん便利である。たとえば、親機および任意数の子機を相互に異なる部屋に設置して使用するという、一般家庭における通常の使用状態を想定した場合、電話に出た人が他の家族を呼び出すという手間が省け、また、自分宛の電話を他の家族に出られることがないのでプライバーシーの確保を十分に図れる。しかも、親機の呼出音も選択的に鳴動させることができるので、子機ばかりでなく親機も家族の誰かに割り当てることができる。
【００８１】
更に、請求項３，４に記載した発明の通信装置によれば、子機の子機側呼出音鳴動制御手段が、識別情報登録判断手段により発呼側の識別情報が識別情報記憶手段に記憶されていると判断されたときに、呼出音を鳴動させるので、呼出信号が入力されたときに、発呼側の識別情報に対応した子機のみの呼出音が鳴動する。したがって、電話に出るまでに誰宛の電話であるかが判り、たいへん便利である。たとえば、各子機を相互に異なる部屋に設置して使用するという、一般家庭における通常の使用状態を想定した場合、電話に出た人が他の家族を呼び出すという手間が省け、また、自分宛の電話を他の家族に出られることがないのでプライバーシーの確保を十分に図れる。
【００８２】
また、請求項５，６に記載した発明の通信装置によれば、親機側識別情報登録判断手段により発呼側の識別情報が親機側識別情報記憶手段に記憶されていると判断されたときに、親機側呼出音鳴動制御手段が、呼出音を鳴動させ、子機側識別情報登録判断手段により発呼側の識別情報が子機側識別情報記憶手段に記憶されていると判断されたときに、子機側呼出音鳴動制御手段が、呼出音を鳴動させるので、電話に出るまでに誰宛の電話であるかが判り、たいへん便利である。たとえば、親機および任意数の子機を相互に異なる部屋に設置して使用するという、一般家庭における通常の使用状態を想定した場合、電話に出た人が他の家族を呼び出すという手間が省け、また、自分宛の電話を他の家族に出られることがないのでプライバーシーの確保を十分に図れる。しかも、親機の呼出音も選択的に鳴動させることができるので、子機ばかりでなく親機も家族の誰かに割り当てることができる。
【００８３】
更に、請求項７に記載した発明の通信装置によれば、請求項１ないし６に記載の通信装置による効果に加えて、発呼側の通信装置から識別情報を送信することなく、被呼側で発呼側の識別情報を確実に認識できる。
【００８４】
また、請求項８に記載した発明の記憶媒体によれば、格納されたプログラムに基づいて通信装置の親機のコンピュータを動作させることにより、請求項１に記載した通信装置を実現できる。
【００８５】
更に、請求項９に記載した発明の記憶媒体によれば、格納されたプログラムに基づいて通信装置の親機のコンピュータを動作させることにより、請求項２に記載した通信装置を実現できる。
【図面の簡単な説明】
【図１】  本発明に係る通信装置の一例としてのコードレス電話機能付ファクシミリ装置の本体部分の回路ブロック図である。
【図２】  本発明に係る通信装置の一例としてのコードレス電話機能付ファクシミリ装置の子機の回路ブロック図である。
【図３】  図１に示すファクシミリ装置の本体部分によるファクシミリ／電話自動切換モード時の着信処理の手順を説明するフローチャートである。
【符号の説明】
１  ＣＰＵ
２  ＮＣＵ
３  ＲＡＭ
４  モデム
５  ＲＯＭ
６  ＥＥＰＲＯＭ
７  ゲートアレイ
８  コーデック
９  ＤＭＡＣ
１１  読取部
１２  記録部
１３  操作部
１４  表示部
１５  電話回線
１６  通信部
１７  通話部
２１  子機
２２  ＣＰＵ
２３  通信部
２４  ＲＯＭ
２５  ＲＡＭ
２６  音声コーデック
２７  ゲートアレイ
２８  通話部
２９  操作部
【図１】
0003777762.tif 000002
【図２】
0003777762.tif 000003
【図３】
0003777762.tif 000004